(57)【特許請求の範囲】
【請求項１】
リードワイヤとターミナルの周りを成形材料により取り囲んで形成されるリードワイヤのインサート成形品であって、上記リードワイヤの被覆のうち少なくともターミナル側の端部に保護部品を被せ、この保護部品の周囲を成形材料で覆ったことを特徴とするリードワイヤのインサート成形品。
【請求項２】
リードワイヤとターミナルの周りを成形材料により取り囲んで形成されるリードワイヤのインサート成形品であって、上記リードワイヤの被覆のうち少なくともターミナル側の端部に保護部品を巻き付け、この保護部品の周囲を成形材料で覆ったことを特徴とするリードワイヤのインサート成形品。
【請求項３】
保護部品に締め代を設けたことを特徴とする請求項１記載のリードワイヤのインサート成形品。
【請求項４】
保護部品を熱収縮チューブで構成したことを特徴とする請求項１から請求項３のいずれか１項に記載のリードワイヤのインサート成形品。
【請求項５】
保護部品を耐熱テープで構成したことを特徴とする請求項１から請求項３のいずれか１項に記載のリードワイヤのインサート成形品。
【請求項６】
保護部品を樹脂又は金属製のパイプ形状部品で構成したことを特徴とする請求項１から請求項３のいずれか１項に記載のリードワイヤのインサート成形品。
【請求項７】
リードワイヤの成形材料としてゴム又はエラストマーを用いたことを特徴とする請求項１から請求項６のいずれか１項に記載のリードワイヤのインサート成形品。
【請求項８】
請求項１から請求項７のいずれか１項に記載のリードワイヤのインサート成形品を組み込んだことを特徴とするアクチュエータ。
【発明の詳細な説明】
【０００１】
【発明の属する技術分野】
この発明は、防水性アクチュエータ等に用いられるリードワイヤのインサート成形における被覆の保護構造に関するものである。
【０００２】
【従来の技術】
図４は従来より用いられているリードワイヤのインサート成形品の構造を示す断面図である。図において、１１はリードワイヤ、１２はターミナル、１３は成形材料である。リードワイヤ１１のインサート成形品の使用例として、当部品を組込んだ車載用モータの構造を図５に示す。
【０００３】
【発明が解決しようとする課題】
従来のリードワイヤのインサート成形品は以上のように構成されていたので、成形の際に、型の熱、及び成形材料１３の熱により、リードワイヤ１１の被覆が軟化し、このため、成形材料１３の成形圧により、リードワイヤ１１の軟化した被覆が、図６に示すように、変形・破損するという問題があった。
【０００４】
この発明は、上記のような問題点を解決するためになされたものであり、リードワイヤ１１に保護部品を追加することにより、成形圧，成形熱からリードワイヤ１１の被覆を保護するとともに、成形性を改善できる構造を提供することを目的とするものである。
【０００５】
【課題を解決するための手段】
この発明の請求項１に係るリードワイヤのインサート成形品は、リードワイヤとターミナルの周りを成形材料により取り囲んで形成されるものであって、リードワイヤの被覆のうち少なくともターミナル側の端部に保護部品を被せ、この保護部品の周囲を成形材料で覆ったものである。
【０００６】
この発明の請求項２に係るリードワイヤのインサート成形品は、リードワイヤとターミナルの周りを成形材料により取り囲んで形成されるものであって、リードワイヤの被覆のうち少なくともターミナル側の端部に保護部品を巻き付け、この保護部品の周囲を成形材料で覆ったものである。
【０００７】
この発明の請求項３に係るリードワイヤのインサート成形品は、保護部品に締め代を設けたものである。
【０００８】
この発明の請求項４に係るリードワイヤのインサート成形品は、保護部品を熱収縮チューブで構成したものである。
【０００９】
この発明の請求項５に係るリードワイヤのインサート成形品は、保護部品を耐熱テープで構成したものである。
【００１０】
この発明の請求項６に係るリードワイヤのインサート成形品は、保護部品を樹脂又は金属製のパイプ形状部品で構成したものである。
【００１１】
この発明の請求項７に係るリードワイヤのインサート成形品は、リードワイヤの成形材料としてゴム又はエラストマーを用いたものである。
【００１２】
この発明の請求項８に係るアクチュエータは、請求項１から請求項７に記載のリードワイヤのインサート成形品を組み込んだものである。
【００１３】
【発明の実施の形態】
実施の形態１．
図１はこの発明の一実施形態によるリードワイヤのインサート成形品の構造を示す断面図であり、図において、１はリードワイヤ、２はターミナル、３は成形材料、４は保護部品である。
図１に示す通り、リードワイヤ１に保護部品４を被せ、熱を加え収縮させることにより固定させ、リードワイヤ１の被覆に成形圧，成形熱が直接加わらないようにし、リードワイヤ１の被覆の変形及び破損を防止するものである。
更には、成形性の向上を図ることができるとともに、防水性の安定化をも図ることもできる。
【００１４】
又、上記保護部品４としては、熱収縮チューブ並びに耐熱テープを用いることができる。
更には、この保護部品４として、樹脂又は金属製のパイプ形状部品を用いることもできる。
又、リードワイヤ１の成形材料として、ゴム又はエラストマーを用いることができる。
以上のようなリードワイヤ１のインサート成形品を用いることにより、アクチュエータの防水性を確保することができる。
【００１５】
実施の形態２．
上記実施の形態１においては、リードワイヤ１に保護部品４を被せた構造としたが、図２に示すように、リードワイヤ１に保護部品５を巻き付けるような構造を採用してもよい。これにより、リードワイヤ１の被覆に成形圧，成形熱が直接加わらないようにし、被覆の変形・破損を防止することができる。
【００１６】
実施の形態３．
図３はこの発明の実施の形態３によるリードワイヤのインサート成形品の構造を示す断面図であり、本実施形態においては、リードワイヤ１の被覆を保護するために、締め代を設けた保護部品６をリードワイヤ１に組み付けたものである。これにより、リードワイヤ１の被覆に成形圧，成形熱が直接加わらないようにし、被覆の変形・破損を防止することができる。
【００１７】
【発明の効果】
この発明の請求項１，２及び請求項４から請求項７に係るリードワイヤのインサート成形品によれば、ゴム等からなるリードワイヤに熱収縮チューブからなる保護部品を被せたり、巻き付けたりして構成したので、成形圧，成形熱によるリードワイヤの被覆の変形並びに破損を防止できるとともに、成形性の向上を図ることができる。
【００１８】
この発明の請求項３に係るリードワイヤのインサート成形品によれば、保護部品に締め代を設けたので、リードワイヤの被覆に成形圧，成形熱が直接加わらず、被覆の変形，破損を防止することができる。
【００１９】
この発明の請求項８に係るアクチュエータによれば、防水性を安定化させることができる。
【図面の簡単な説明】
【図１】  この発明の実施の形態１によるリードワイヤのインサート成形品を示す断面図である。
【図２】  この発明の実施の形態２によるリードワイヤのインサート成形品を示す断面図である。
【図３】  この発明の実施の形態３によるリードワイヤのインサート成形品を示す断面図である。
【図４】  従来のリードワイヤのインサート成形品を示す断面図である。
【図５】  従来の車載用モータを示す一部断面側面図である。
【図６】  従来のリードワイヤのインサート成形品を示す断面図である。
【符号の説明】
１  リードワイヤ、２  ターミナル、３  成形材料、４，５，６  保護部品。
【図１】
0003735229.tif 000002
【図２】
0003735229.tif 000003
【図３】
0003735229.tif 000004
【図４】
0003735229.tif 000005
【図５】
0003735229.tif 000006
【図６】
0003735229.tif 000007